(57)【要約】      （修正有）【課題】各種形状に湾曲可能なシリコーン光ファイバがその上端に接続されているＬＥＤランプ発光プラグを提供する。【解決手段】発光プラグは、ＬＥＤランプと、霧吹きポンプと、回路部とが内蔵された発光筒体を備えており、このうちＬＥＤランプおよび霧吹きポンプはそれぞれスイッチを介して回路部に接続されており、前記発光筒体の円周上表面には霧吹き孔が設けられ、前記発光筒体の上端にはシリコーン光ファイバが内部に接続されるめくら穴が設けられており、シリコーン光ファイバの端部には星状体が設けられている。本ＬＥＤランプ発光プラグは、生花または造花を用いて制作されたフラワーバスケット、生け花、花箱、花の寄せ植え、花束、リボン、教会の鐘、アーチ、花輪、鉢植え、プール、花飾り車などのデコレーションに用いることができ、そして発光および霧吹きの効果を備え、様々な形状に湾曲させることができ、自然な効果を増進し、観賞性を高めることができる。【選択図】図１
0003164519.tif 000002
【実用新案登録請求の範囲】
【請求項１】
LEDランプ発光プラグであって、前記発光プラグは、LEDランプと、霧吹きポンプと、回路部とが内蔵された発光筒体を備えており、このうちLEDランプおよび霧吹きポンプはそれぞれスイッチを介して回路部に接続されており、前記発光筒体の円周上表面には霧吹き孔が設けられ、前記発光筒体の上端にはシリコーン光ファイバが内部に接続されるめくら穴が設けられている、ことを特徴とするLEDランプ発光プラグ。
【請求項２】
前記シリコーン光ファイバの端部に星状体が設けられている、ことを特徴とする請求項１に記載のLEDランプ発光プラグ。
【請求項３】
前記発光筒体の円周上表面の霧吹き孔が複数で且つ均一に配置されている、ことを特徴とする請求項１に記載のLEDランプ発光プラグ。
【請求項４】
前記発光筒体の上端にめくら穴内には、複数本のシリコーン光ファイバが接続されている、ことを特徴とする請求項１に記載のLEDランプ発光プラグ。
【請求項５】
前記霧吹きポンプが、水タンクに接続されている高圧ポンプを備えている、ことを特徴とする請求項１に記載のLEDランプ発光プラグ。
【請求項６】
前記LEDランプが七色光を発する、ことを特徴とする請求項１に記載のLEDランプ発光プラグ。
【請求項７】
前記発光プラグが、フラワーバスケット、生け花、花箱、花の寄せ植え、花束、リボンまたは花飾り車に設けられる、ことを特徴とする請求項１に記載のLEDランプ発光プラグ。
【請求項８】
前記発光プラグが竹林に設けることができ、竹一本ごとに一つの発光プラグが配設されている、ことを特徴とする請求項１に記載のLEDランプ発光プラグ。
【請求項９】
LEDランプ発光プラグであって、前記発光プラグは、LEDランプと、回路部とが内蔵された発光筒体を備えており、このうちLEDランプはスイッチを解して回路部に接続されており、前記発光筒体の上端には、先端に透明のクリスタルが取り付けられるシリコーン光ファイバが内部に接続されるめくら穴が設けられている、ことを特徴とするLEDランプ発光プラグ。
【請求項１０】
前記透明のクリスタルが、透明のクリスタルで制作された文字、図形もしくは数字、または文字および図形の組合わせ、または数字および文字の組合わせ、または数字および図形の組合わせ、または文字、図形および数字の組合わせを含む、ことを特徴とする請求項９に記載のLEDランプ発光プラグ。
【請求項１１】
前記透明のクリスタルが透明のクリスタルで制作された五芒星を含む、ことを特徴とする請求項９または１０に記載のLEDランプ発光プラグ。
【請求項１２】
前記透明のクリスタルが透明のクリスタルで制作された商標マークを含む、ことを特徴とする請求項９または１０に記載のLEDランプ発光プラグ。
【請求項１３】
前記透明のクリスタルで制作された文字、図形もしくは数字、または文字および図形の組合わせ、または数字および文字の組合わせ、または数字および図形の組合わせ、または文字、図形および数字の組合わせのものがガラステーブルの底面に組合わせて設けられており、これがシリコーン光ファイバの一端に接続されており、シリコーン光ファイバの他端には、電源に接続されているLEDランプが接続されている、ことを特徴とする請求項１０に記載のLEDランプ発光プラグ。
【請求項１４】
前記透明のクリスタルで制作された文字、図形もしくは数字、または文字および図形の組合わせ、または数字および文字の組合わせ、または数字および図形の組合わせ、または文字、図形および数字の組合わせのものがガラススクリーンの裏面に組合わせて設けられており、これがシリコーン光ファイバの一端に接続されており、シリコーン光ファイバの他端には、電源に接続されているLEDランプが接続されている、ことを特徴とする請求項１０に記載のLEDランプ発光プラグ。
【請求項１５】
前記透明のクリスタルで制作された文字、図形もしくは数字、または文字および図形の組合わせ、または数字および文字の組合わせ、または数字および図形の組合わせ、または文字、図形および数字の組合わせのものがガラス床の裏面に組合わせて設けられており、これがシリコーン光ファイバの一端に接続されており、シリコーン光ファイバの他端には、電源に接続されているLEDランプが接続されている、ことを特徴とする請求項１０に記載のLEDランプ発光プラグ。
【請求項１６】
前記透明のクリスタルで制作された文字、図形もしくは数字、または文字および図形の組合わせ、または数字および文字の組合わせ、または数字および図形の組合わせ、または文字、図形および数字の組合わせのものが花箱内に組合わせて設けられており、これがシリコーン光ファイバの一端に接続されており、シリコーン光ファイバの他端には、電源に接続されているLEDランプが接続されている、ことを特徴とする請求項１０に記載のLEDランプ発光プラグ。
【請求項１７】
前記透明のクリスタルで制作された文字、図形もしくは数字、または文字および図形の組合わせ、または数字および文字の組合わせ、または数字および図形の組合わせ、または文字、図形および数字の組合わせのものが広告看板上に組合わせて設けられており、これがシリコーン光ファイバの一端に接続されており、シリコーン光ファイバの他端には、電源に接続されているLEDランプが接続されている、ことを特徴とする請求項１０に記載のLEDランプ発光プラグ。
【考案の詳細な説明】
【技術分野】
【０００１】
本考案は発光プラグに関し、主に生花または造花のフラワーバスケットなどのデコレーションに使用できるLEDランプ発光プラグである。
【背景技術】
【０００２】
現在、生花または造花を用いて制作されたフラワーバスケット、生花、花箱、花の寄せ植え、花束、リボン、教会の鐘、アーチ、花輪、鉢植え、プール、花飾り車などのデコレーションはすでに家庭、アミューズメント、公共の場所における汎用性の高いデコレーションとなっており、雰囲気を華やかにする作用をもたらしている。また、人々の交際における数多くの場面でも、贈り物として大量の生花が使用されることがあり、これらがこの種類の製品の発展を促している。
【０００３】
光ファイバの登場に伴って、光ファイバもまた生花または造花製品に用いられて、観賞の価値を高めている。しかし、光ファイバは柔らかいため、束の形状で使用されることが多く、使用効果に影響をもたらしている。
【考案の開示】
【０００４】
本考案の目的は、LEDランプと、霧吹きポンプとが内蔵され、フラワーデコレーションのデザインに応じて各種形状に湾曲可能なシリコーン光ファイバがその上端に接続されているLEDランプ発光プラグを提供するものである。この種の発光プラグは発光と霧吹きの機能を備え、従来の光ファイバの生花製品または光ファイバの造花製品における不足を効果的に克服するものである。
【０００５】
本考案を実現する技術的思想では、前記発光プラグは、ＬＥＤランプと、霧吹きポンプと、回路部とが内蔵された発光筒体を備えており、このうちＬＥＤランプおよび霧吹きポンプはそれぞれスイッチを介して回路部に接続されており、前記発光筒体の円周上表面には霧吹き孔が設けられ、前記発光筒体の上端にはシリコーン光ファイバが内部に接続されるめくら穴が設けられている。
【０００６】
前記技術的思想はさらに以下のものを含む。
【０００７】
前記シリコーン光ファイバの端部に星状体が設けられている。
【０００８】
前記発光筒体の円周上表面の霧吹き孔が複数で且つ均一に配置されている。
【０００９】
前記発光筒体の上端のめくら穴内には、複数本のシリコーン光ファイバが接続されている。
【００１０】
前記霧吹きポンプが、水タンクに接続されている高圧ポンプを備えている。
【００１１】
前記ＬＥＤランプが七色光を発することができる。
【００１２】
前記発光プラグが、フラワーバスケット、生け花、花箱、花の寄せ植え、花束、リボンまたは花飾り車に設けることができる。
【００１３】
前記発光プラグが竹林に設けることができ、竹一本ごとに一つの発光プラグが配設されている。
【００１４】
本考案を実現する他の技術的思想では、前記発光プラグは、ＬＥＤランプと、回路部とが内蔵された発光筒体を備えており、このうちＬＥＤランプはスイッチを介して回路部に接続されており、前記発光筒体の上端には、先端に透明のクリスタルが取り付けられるシリコーン光ファイバが内部に接続されるめくら穴が設けられている。
【００１５】
前記技術的思想はさらに以下のものを含む。
【００１６】
前記透明のクリスタルが、透明のクリスタルで制作された文字、図形もしくは数字、または文字および図形の組合わせ、または数字および文字の組合わせ、または数字および図形の組合わせ、または文字、図形および数字の組合わせを含む。
【００１７】
前記透明のクリスタルが透明のクリスタルで制作された五芒星を含む。
【００１８】
前記透明のクリスタルが透明のクリスタルで制作された商標マークを含む。
【００１９】
前記透明のクリスタルで制作された文字、図形もしくは数字、または文字および図形の組合わせ、または数字および文字の組合わせ、または数字および図形の組合わせ、または文字、図形および数字の組合わせのものがガラステーブルの底面に組合わせて設けられており、これがシリコーン光ファイバの一端に接続されており、シリコーン光ファイバの他端には、電源に接続されているＬＥＤランプが接続されている。
【００２０】
前記透明のクリスタルで制作された文字、図形もしくは数字、または文字および図形の組合わせ、または数字および文字の組合わせ、または数字および図形の組合わせ、または文字、図形および数字の組合わせのものがガラススクリーンの裏面に組合わせて設けられており、これがシリコーン光ファイバの一端に接続されており、シリコーン光ファイバの他端には、電源に接続されているＬＥＤランプが接続されている。
【００２１】
前記透明のクリスタルで制作された文字、図形もしくは数字、または文字および図形の組合わせ、または数字および文字の組合わせ、または数字および図形の組合わせ、または文字、図形および数字の組合わせのものがガラス床の裏面に組合わせて設けられており、これがシリコーン光ファイバの一端に接続されており、シリコーン光ファイバの他端には、電源に接続されているＬＥＤランプが接続されている。
【００２２】
前記透明のクリスタルで制作された文字、図形もしくは数字、または文字および図形の組合わせ、または数字および文字の組合わせ、または数字および図形の組合わせ、または文字、図形および数字の組合わせのものが花箱内に組合わせて設けられており、これがシリコーン光ファイバの一端に接続されており、シリコーン光ファイバの他端には、電源に接続されているＬＥＤランプが接続されている。
【００２３】
前記透明のクリスタルで制作された文字、図形もしくは数字、または文字および図形の組合わせ、または数字および文字の組合わせ、または数字および図形の組合わせ、または文字、図形および数字の組合わせのものが広告看板上に組合わせて設けられており、これがシリコーン光ファイバの一端に接続されており、シリコーン光ファイバの他端には、電源に接続されているＬＥＤランプが接続されている。
【００２４】
本考案が備える有益な効果とは次のとおりである。本ＬＥＤランプ発光プラグは、生花製品または造花製品と合わせて使用する場合、そのシリコーン光ファイバが防水で、しかも様々な形状に湾曲させることができ、そしてシリコーン光ファイバの先端には透明のクリスタルで制作された文字、図形または数字を取り付けることができ、ニーズに応じてクリスタルで店の名前、店の看板または商品の商標文字および図形に制作することができるので、本装置に個性的で、広告宣伝の効果を持たすことができる。同時に、発光および霧吹きの効果を備え、自然な効果を増進し、観賞性を高め、そして構造が簡単で、低コスト、使用に便利および効果に優れるという特長を備えている。
【考案を実施するための最良の形態】
【００２５】
以下で図面を合わせて本考案について詳しい説明を行う。
【００２６】
図１に示すように、本ＬＥＤランプ発光プラグは、発光および霧吹きの機能を備えており、これは主に発光筒体４と、ＬＥＤランプ５と、高圧ポンプ３、水タンク１と、回路部７と、押しボタンスイッチ８とからなり、このうち発光筒体４の上部にはめくら穴４１を有しており、発光筒体４の円周上表面には霧吹き孔４２が均一に配置されている。前記ＬＥＤランプ５、高圧ポンプ３、回路部７がそれぞれ発光筒体４内に取り付けられており、このうち高圧ポンプ３がパイプ２を介して水タンク１に接続されており、押しボタンスイッチ８は回路部７を介してそれぞれ高圧ポンプ３およびＬＥＤランプ５に接続されており、発光筒体４のめくら穴４１内には複数本のシリコーン光ファイバ６が接続されている。シリコーン光ファイバ６はＰＰＣにシリコーンを混合してなり、可塑性を備え、シリコーン光ファイバ６の先端には星状体（例えば五芒星形）６１が取り付けられている。
【００２７】
押しボタンスイッチを押すと、ＬＥＤが点灯し、色の付いた光が出射する。この光はシリコーン光ファイバおよびその上の星状体を感光させる。シリコーン光ファイバの数量は花の数量により決まり、しかも花に組合わされる。シリコーン光ファイバの形状はニーズにより湾曲することができ、長さは自分で決めることができる。ＬＥＤランプが点灯すると同時に高圧ポンプが作動して、霧を発光筒体内から吹き出す。ＬＥＤランプおよび高圧ポンプは同時に作動しても、同時に作動しなくても良いし、または一方が作動して、一方が作動しなくても良い。
【実施例１】
【００２８】
フラワーバスケットを制作する。フラワーバスケットの中には吸水性スポンジがあり、吸水性スポンジの上面に生花が挿されている。吸水性スポンジの中間位置にはＬＥＤランプ発光プラグが挿入されている。プラグにはシリコーン光ファイバが装着されている。シリコーン光ファイバの形状、数量、長さは効果によって決まる。そして霧を吹き付けることで生花の鮮度を長持ちさせることができる。
【００２９】
本ＬＥＤランプ発光プラグはフラワーバスケットに用いられる以外に、ＬＥＤランプの光ファイバと霧吹きの効果が必要な何らかの製品に用いることができる。
【００３０】
本ＬＥＤランプ発光プラグの他の構造の主な特長は、シリコーン光ファイバ６の前端に透明のクリスタルが取り付けられており、その下端にＬＥＤが接続されているものである。このうち前記透明のクリスタルは数字１１（図４）、図形１４、１５、１６（図８、９、１０）、文字２０（図５）、商標、広告などに制作することができるし、これらの組合わせとすることもできる。図形には動物の図形も含まれる。
このようなシリコーン光ファイバと透明のクリスタルとからなるＬＥＤランプは、例えば誕生日、宴会、ダンスホール、クラブ、バー、鉢植え、花壇、街路、展覧会、広告看板、リボン、カラーテープ、バッグ、帽子、服装、スポーツシューズ、店の看板、クリスマスツリーなどで、テーブル、プレゼントケース、ガラススクリーン、ガラス床、自動車のエンブレムなどに用いることができる。
【図面の簡単な説明】
【００３１】
【図１】本考案の全体構造の概略図である。
【図２】本考案の使用状態図であり、生花のフラワーバスケット中に使用したものを示す。（実施例１）
【図３】図２中におけるフラワーバスケットの概略図である。
【図４】本考案の使用状態図であり、ガラステーブルの底面に使用したものを示す。
【図５】本考案の使用状態図であり、花箱（プレゼント用ケース）に使用したものを示す。
【図６】本考案の使用状態図であり、ガラススクリーンの裏面に使用したものを示す。
【図７】本考案の使用状態図であり、ガラス床の底面に使用したものを示す。
【図８】本考案の使用状態図であり、透明のクリスタルで五芒星を制作したものを示す。
【図９】本考案の使用状態図であり、透明のクリスタルでレクサスおよびベンツのエンブレムを制作したものを示す。
【図１０】本考案の使用状態図であり、透明のクリスタルでレクサスおよびベンツのエンブレムを制作したものを示す。
【符号の説明】
【００３２】
１  水タンク
２  パイプ
３  高圧ポンプ
４  発光筒体
４１  めくら穴
４２  霧吹き孔
５  ＬＥＤランプ
６  シリコーン光ファイバ
６１  星状体
７  回路部
８  押しボタンスイッチ
９  フラワーバスケット
１０  生花
１１  クリスタル製の数字
１２  ガラステーブル
１３  テーブルの脚
１４  クリスタル製の五芒星
１５  クリスタル製のレクサスのエンブレム
１６  クリスタル製のベンツのエンブレム
１７  花箱
１８  ガラススクリーン
１９  ガラス床
２０  クリスタル製の文字
【図１】
0003164519.tif 000003
【図２】
0003164519.tif 000004
【図３】
0003164519.tif 000005